(57)【要約】【課題】食事の後の汚れた箸等の長尺食器を一本、一本洗う厄介な台所仕事から解放され、全部まとめて一度できれいに洗えるようにする。【解決手段】本発明は、水切れが良く内側表面がざらざらした素材で筒形の袋を作る。その中に箸等の長尺食器類をいっぺんに全部入れて袋を両手で揉むようにして洗うと、箸等の長尺食器は袋の内側表面と擦れて汚れが落ちる。箸等の長尺食器は袋に入っているので強く揉んでもこぼれ落ちる事がなく一度で全部きれいに洗える。更に、袋は細長いので二つ折りにしてガラスのコップ等の底の深い食器を挟む様にして洗うと、袋の外側の面でコップの内側と外側が同時に洗える。【選択図】  図１２
2006247383.tif 000002
【特許請求の範囲】
【請求項１】
通気性、通水性を有する布で形成した筒形で袋状の長尺食器用クリーナー。
【請求項２】
袋の内側がざらざらとした粗い面であることを特徴とする請求項１に記載の長尺食器用クリーナー。
【請求項３】
長尺食器全体を収納することが出来る筒形の袋であることを特徴とする請求項１又は請求項２に記載の長尺食器用クリーナー。
【請求項４】
筒形で袋状の長尺食器用クリーナーの袋の口に、蛇口から流出した水が本体内を通過する様に吊り下げ紐を設けたことを特徴とする請求項１乃至請求項３に記載の長尺食器用クリーナー。
【発明の詳細な説明】
【技術分野】
【０００１】
本発明は、筒形の袋の中に汚れた箸等の長尺食器を入れることにより複数本の箸等の長尺食器が一度に洗えるキッチンクリーナーに関するものである。
【背景技術】
【０００２】
従来、食事後の汚れた箸はキッチンスポンジ等で一本、一本手洗いしていた。箸は一膳が2本であり、例えば４人家族だと毎回８本の汚れた箸が発生する。しかも料理を作る時や器に盛りつける時などに使う箸も加えると最低でももう一膳、計10本の汚れた箸が発生する。一般的に普及しているキッチンスポンジ等で箸を洗う場合、まず箸先をスポンジで洗いその後持ち替えて柄の方を洗うのであるが、10本を洗う場合はこの作業を20回行わなければならない。3度の食事毎にこの作業が必要なので、一日では60回にもなり厄介なことこの上なく、食器を洗うよりある意味面倒を感じる。器用な人は箸を一度に全部束にして持って箸同士を擦り合わせて洗っているが、そうでない者が同じ事をすると１、２本が束の中から飛び出たり、束が崩れて手から落ちるなど反って時間が掛かることもある。その上、洗い残しができたりして上手く洗えないので面倒でも結局一本、一本洗うはめになる。又、最近は自動食器洗い機が普及し始めているが自動的にお湯を吹きかけて洗浄を行うのは表面積の広い食器等には威力を発揮するが、箸の様な細長いものにはあまり効果的でないし、頻繁に高温のお湯で洗浄していると箸独特の塗りが傷んでしまう恐れもある。それ故、やはり箸だけは毎食後手洗いした方が手っ取り早いし実用的である。
【発明の開示】
【発明が解決しようとする課題】
【０００３】
解決しようとする問題点は、汚れた箸数本を簡単に一度できれいに洗えるようにする事である。
【課題を解決するための手段】
【０００４】
本発明は、通気性、通水性に優れたポリエステルやアクリル等で出来たメッシュの布を使用して内側がざらざらと粗い筒形の袋状の長尺食器クリーナーを作る。その中に汚れた箸を複数本入れて筒形の袋を両手で揉むようにして洗うと、箸は袋の内側のざらざらした面と擦れ合うことで汚れが落ちる。又、箸は袋に入っているので強く揉んでも箸が手からこぼれ落ちる事がなく一度で全部きれいに洗える。尚、本発明は箸だけに限らず、フォーク、ナイフ、スプーン等の長尺食器にも使用できる。
【発明の効果】
【０００５】
本発明の長尺食器用クリーナーに汚れた箸等の長尺食器をまとめて入れ、袋を両手で揉みあわせる様に洗うと袋の内側のざらざらした面が箸等の長尺食器と擦れ合いきれいに汚れが落ちる。袋に入れた箸等の長尺食器全部が一度に洗えるので、箸等の長尺食器を一本一本洗う厄介な作業から解放される。又、長尺食器全体が袋内に収納されるので長尺食器全体の汚れを落とすことが可能である。更に、袋は細長いので二つ折りの状態にしてガラスのコップ等の底の深い食器を挟む様にして洗うと、袋の外側の面を有効活用してコップの内側と外側が同時に洗える。袋を作る素材によっては洗剤なしでもピカピカにきれいに洗える。
更に、袋の口の吊り下げ紐を使用することで、蛇口から出た水がすべて長尺食器用クリーナー内を通過するので効率的に水を使用することが出来ると共に、流水にさらしているので勝手に洗えており、ほんの数回揉むだけでよい。又、使い込むにしたがってメッシュの布の腰がなくなり上部が折れ曲がり使い難くなる。しかし、袋の口の吊り下げ紐を使用することで長尺食器用クリーナーの形状を垂直に維持することが出来き、折れ曲がることがなくなるので洗浄が容易になる。
【発明を実施するための最良の形態】
【０００６】
通気性、通水性に優れたポリエステルやアクリル等で出来たメッシュの布を使用して内側がざらざらと粗い筒形の袋状の長尺食器クリーナーを作る。筒形の袋の口に吊り下げ紐を設ける。図１２に示すように、長尺食器を入れた筒形の袋を吊り下げ紐で蛇口に引っ掛けて、水を流しながら筒形の袋を手で揉むことにより長尺食器を洗浄する。
【実施例１】
【０００７】
図１から図５により実施例１について説明する。通気性、通水性に優れたポリエステルやアクリル等で出来たメッシュの布１０、１１を二重にして筒形の袋状の本体１を形成する。メッシュの布の内側１１の内面はざらざらとした粗い面である。本体１の下部である、袋の底３に吊り下げ紐４を設ける。本体１の上部に袋の口２を設ける。
次に、図６から図９により実施例１の使用方法について説明する。図７に示すように箸５を本体１に収納し、図８に示すように本体１を蛇口６の下に持ってきて水７を流しながら本体１を手で揉みながら箸５を洗浄する。本体１は、図６のように吊り下げ紐４により吊り下げて乾かす。又、図９に示すようにガラスコップ８の様な底の深い食器を挟むように洗うことが出来る。
【実施例２】
【０００８】
図１０から図１２により実施例２について説明する。図１２に示すように、実施例２は実施例１の本体１の袋の口２に吊り下げ紐９を設けた構成である。使用方法は、図１２に示すように吊り下げ紐９を蛇口に引っ掛けて使用する。よって、本体１が蛇口６に支持されると共に蛇口が本体内に収納される。だから、手で本体１を支持する必要がなくなると共に、水がすべて本体１内を通過する。本体１は図１１のように吊り下げ紐４と吊り下げ紐９の両方を吊り下げることによりコンパクトに二つ折りの状態で乾かすことが出来る。
尚、本実施例１、２においては水を使用しているが、勿論水の代わりにお湯を使用してもよい。お湯を使用することでより洗浄効果がアップする。
【図面の簡単な説明】
【０００９】
【図１】長尺食器用クリーナーの正面図である。
【図２】長尺食器用クリーナーの背面図である。
【図３】長尺食器用クリーナーの平面図である。
【図４】長尺食器用クリーナーの底面図である。
【図５】長尺食器用クリーナーの斜面図である。
【図６】長尺食器用クリーナーを使っていない時の参考図である。
【図７】長尺食器用クリーナーに箸を入れた時の参考図である。
【図８】長尺食器用クリーナーに箸を入れて洗っている時の参考図である。
【図９】長尺食器用クリーナーを二つ折りにしてコップを挟み、洗っている時の参考図である。
【図１０】袋の口部に吊り下げ紐のある長尺食器用クリーナーの斜面図である。
【図１１】袋の口部に吊り下げ紐のある長尺食器用クリーナーを、使っていない時にコンパクトに二つ折りにして下げている時の参考図である。
【図１２】吊り下げ紐を水道の蛇口に掛けて、水を出しながら洗っている時の参考図である。
【符号の説明】
【００１０】
１．本体
２・袋の口
３．袋の底
４．吊り下げ紐（袋の底に付属）
５．箸
６．蛇口
７．水
８．ガラスのコップ
９．吊り下げ紐（袋の口に付属）
１０．外側のメッシュの布
１１．内側のメッシュの布
【図１】
2006247383.tif 000003
【図２】
2006247383.tif 000004
【図３】
2006247383.tif 000005
【図４】
2006247383.tif 000006
【図５】
2006247383.tif 000007
【図６】
2006247383.tif 000008
【図７】
2006247383.tif 000009
【図８】
2006247383.tif 000010
【図９】
2006247383.tif 000011
【図１０】
2006247383.tif 000012
【図１１】
2006247383.tif 000013
【図１２】
2006247383.tif 000014